(57)【要約】  【課題】プラグコネクタの長孔にレセプタクルコネクタのセパレータを受容嵌合させるとき、プラグコンタクトの先端がセパレータとレセプタクルコンタクトとの間に入り込むのを防止するようにする。  【解決手段】プラグコネクタ１３側の長孔２２にセパレータ１７を受容嵌合するときに、プラグコンタクト１９の先端部１９ａがセパレータ１７とレセプタクルコンタクト１５との間に入り込むのを防止する樹脂製の防護壁２４を、プラグコンタクト１９の最先端部１９ｂを覆うようにして設けたコネクタ装置。【選択図】図１
2008210656.tif 000002
【特許請求の範囲】
【請求項１】
前面が開口された角形のプラグハウジンを備え、該プラグハウジングの略中央部に、前後方向に延びる複数本のプラグコンタクトを、左右方向に並べ、かつ、間に長孔を画成して上下２段に分けて配置してなるプラグコネクタと、前記プラグコンタクトと対応して前後方向に延びる複数本のレセプタクルコンタクトを左右方向に並置して前後方向に延びる板状のセパレータを有するレセプタクルハウジングを備えたレセプタクルコネクタとから構成され、前記長孔内に前記セパレータを受容嵌合して、前記プラグコンタクトを対応する前記レセプタクルコンタクトに接続するコネクタ装置において、
前記長孔に前記セパレータを受容嵌合するときに前記プラグコンタクトの先端が前記セパレータと前記レセプタクルコンタクトとの間に入り込むのを防止する樹脂製の防護壁を、前記プラグコンタクトの最先端部を覆うようにして設けたことを特徴とするコネクタ装置。
【請求項２】
上記防護壁の前面内側端部に、上記セパレータを上記長孔の中心側へ向けてガイドするガイド面を設けたことを特徴とする請求項１記載のコネクタ装置。
【請求項３】
上記プラグハウジングの外周部と上記レセプタクルハウジングの外周部に、上記受容嵌合時に互いに電気的に接触するシールドケースを各々設けたことを特徴とする請求項１または２記載のコネクタ装置。
【発明の詳細な説明】
【技術分野】
【０００１】
本発明は、電気機器内部や装置間の情報伝達に用いるコネクタ装置に関するものである。
【背景技術】
【０００２】
従来、電気機器内部や装置間の情報伝達に用いるコネクタ装置は、数多く知られている（例えば、特許文献１参照）。
【０００３】
また、図４に示すような構造をした電気コネクタ装置も知られている。図４に示すコネクタ装置１は、基板(図示しない)に実装されるべきレセプタクルコネクタ２と、該レセプタクルコネクタ２に挿入結合されるプラグコネクタ３と、から構成されている。
【０００４】
このコネクタ装置１では、レセプタクルコネクタ２の板状をしてなるセパレータ２ａの上下面に、複数本のレセプタクルコンタクト４，４…を左右方向に並べて設けている。一方、プラグコネクタ３は、左右方向に並べた複数本のプラグコンタクト５，５…を上下の位置に各々配置し、その間にレセプタクルコネクタ２のセパレータ２ａを受容嵌合する長孔６を設けている。
【０００５】
そして、レセプタクルコネクタ２とプラグコネクタ３とを結合するとき、プラグコネクタ３の長孔６内にレセプタクルコネクタ２のセパレータ２ａを受容嵌合させて、プラグコンタクト５，５…を対応するレセプタクルコンタクト４，４…に接続する構造になっている。
【特許文献１】特開平８−２８８０１６号公報。
【発明の開示】
【発明が解決しようとする課題】
【０００６】
しかしながら、図４に示すような構造をしたコネクタ装置１では、同じく図４に示すように、プラグコネクタ３の基準線Ｓ１が、レセプタクルコネクタ２の基準線Ｓ２に対して上下方向に傾けられ、プラグコネクタ３がレセプタクルコネクタ２に斜め方向から挿入されると、図４のＢ部拡大図として図５に示すように、先が比較的尖っているプラグコンタクト５の最先端部５ａが、レセプタクルコンタクト４とセパレータ２aとの間に入り込んで、レセプタクルコンタクト４を浮かせ、該レセプタクルコンタクト４を座屈させてしまうことがあった。
【０００７】
そこで、プラグコネクタの長孔にレセプタクルコネクタのセパレータを受容嵌合させるとき、プラグコンタクトの先端がセパレータとレセプタクルコンタクトとの間に入り込むのを防止するようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、前面が開口された角形のプラグハウジンを備え、該プラグハウジングの略中央部に、前後方向に延びる複数本のプラグコンタクトを、左右方向に並べ、かつ、間に長孔を画成して上下２段に分けて配置してなるプラグコネクタと、前記プラグコンタクトと対応して前後方向に延びる複数本のレセプタクルコンタクトを左右方向に並置してなる前後方向に延びる板状のセパレータを有するレセプタクルハウジングを備えたレセプタクルコネクタとから構成され、前記長孔内に前記セパレータを受容嵌合して、前記プラグコンタクトを対応す
る前記レセプタクルコンタクトに接続するコネクタ装置において、前記長孔に前記セパレータを受容嵌合するときに前記プラグコンタクトの先端が前記セパレータと前記レセプタクルコンタクトとの間に入り込むのを防止する樹脂製の防護壁を、前記プラグコンタクトの最先端部を覆うようにして設けたコネクタ装置を提供する。
【０００９】
この構成によれば、レセプタクルコンタクトのセパレータがプラグコネクタの長孔に受容嵌合されるとき、プラグコンタクトの最先端部を覆うようにして設けられている樹脂製の防護壁により、セパレータの向きとプラグコンタクトの向きとを一致させて、プラグコンタクトの先端がセパレータとレセプタクルコンタクトとの間に入り込むのを防止する。
【００１０】
請求項２記載の発明は、請求項１において、上記防護壁の前面内側端部に、上記セパレータを上記長孔の中心側へ向けてガイドするガイド面を設けたコネクタ装置を提供する。
【００１１】
この構成によれば、レセプタクルコネクタにプラグコネクタを結合させる時、セパレータと長孔との位置が多少ずれていると、プラグコネクタの前面内側端に設けられているガイド面にセパレータが突き当る。そして、該ガイド面のガイドにより、セパレータが長孔の中心側へ変位されて長孔内へスムースに受容される。
【００１２】
請求項３記載の発明は、請求項１または２において、上記プラグハウジングの外周部と上記レセプタクルハウジングの外周部に、上記受容嵌合時に互いに電気的に接触するシールドケースを各々設けたコネクタ装置を提供する。
【００１３】
この構成によれば、プラグコネクタとレセプタクルコネクタとの間が結合されると、各コネクタのシールドケース同士が互いに電気的に接触し合い、該シールドケースを通してアースをとる等の結線処理が図られる。
【発明の効果】
【００１４】
請求項１記載の発明は、レセプタクルコンタクトのセパレータがプラグコネクタの長孔に受容嵌合される時に、防護壁のガードにより、セパレータに対するプラグコネクタの向きが直され、両コネクタの向きが各々一致した状態で結合作業が行われるので、プラグコンタクトの最先端部がレセプタクルコンタクトとセパレータとの間に入り込むことがなく、レセプタクルコンタクトを浮かせて座屈させるのを確実に防止することができる。
【００１５】
請求項２記載の発明は、プラグコネクタの前面内側端に設けられているガイド面のガイドにより、セパレータを長孔内へスムースに受容することができるので、請求項１記載の発明の効果に加えて、レセプタクルコネクタとプラグコネクタとの結合時における作業性の向上が期待できる。
【００１６】
請求項３記載の発明は、互いに結合された各コネクタのシールドケースを通して、アースをとる等の結線処理を行うことができるので、請求項１または２記載の発明の効果に加
えて、結線処理の作業性の向上が期待できる。
【発明を実施するための最良の形態】
【００１７】
レセプタクルコネクタのセパレータをプラグコネクタの長孔に受容嵌合させるとき、プラグコンタクトの先端がセパレータとレセプタクルコンタクトとの間に入り込むのを防止するという目的を達成するために、前面が開口された角形のプラグハウジンを備え、該プラグハウジングの略中央部に、前後方向に延びる複数本のプラグコンタクトを、左右方向に並べ、かつ、間に長孔を画成して上下２段に分けて配置してなるプラグコネクタと、前記プラグコンタクトと対応して前後方向に延びる複数本のレセプタクルコンタクトを左右方向に並置してなる前後方向に延びる板状のセパレータを有するレセプタクルハウジングを備えたレセプタクルコネクタとから構成され、前記長孔内に前記セパレータを受容嵌合して、前記プラグコンタクトを対応する前記レセプタクルコンタクトに接続するコネクタ装置において、前記長孔に前記セパレータを受容嵌合するときに前記プラグコンタクトの先端が前記セパレータと前記レセプタクルコンタクトとの間に入り込むのを防止する樹脂製の防護壁を、前記プラグコンタクトの最先端部を覆うようにして設けたことにより実現した。
【実施例】
【００１８】
以下、本発明のコネクタ装置について、好適な実施例をあげて説明する。図１は、本発明の一実施の形態に係るコネクタ装置１１を結合途中の状態で示す縦断面図で、図２は、図１のＡ部拡大である。図１及び図２において、コネクタ装置１１は、互いに係脱自在に嵌合するレセプタクルコネクタ１２とプラグコネクタ１３とから構成されている。
【００１９】
前記レセプタクルコネクタ１２は、レセプタクルハウジング１４と、複数本のレセプタクルコンタクト１５，１５…と、シールドケース１６と、を備えている。
【００２０】
前記レセプタクルハウジング１４は、樹脂製で角形に形成されているとともに、プラグコネクタ１３と対向する前面略中央部に、前方へ向かって延びる板状をしたセパレータ１７を一体に設けている。
【００２１】
前記複数本のレセプタクルコンタクト１５，１５…は、レセプタクルハウジング１４の成形時に、セパレータ１７の上下面にコンタクト部１５ａがそれぞれ貼り付けられた状態で配置されるようにして、各々左右方向に等間隔で並べられて成形型内に配置され、そして、レセプタクルコンタクト１５の基端部１５ｂをレセプタクルハウジング１４の下面側に導出させて、基板側の接点(図示しない)と接続可能に構成されている。
【００２２】
前記シールドケース１６は、導電性金属板で角筒状に形成されている。該シールドケース１６の一端側はレセプタクルハウジング１４に固定して取り付けられ、他端側はセパレータ１７を囲繞した状態で、レセプタクルハウジング１４の前面から前方へ向かってセパレータ１７よりも大きく伸ばされ、かつ、その先端となる前面を開口させた状態にして設けられている。
【００２３】
前記プラグコネクタ１３は、プラグハウジング１８と、複数本のプラグコンタクト１９，１９…と、シールドケース２０と、から構成されている。
【００２４】
前記プラグハウジング１８は、プラグコネクタ１３の要部拡大斜視図として図３に一部を示しているように、樹脂製で角形に形成されているとともに、レセプタクルコネクタ１２と対向する前面に、前方へ向かって延びる角筒状部１８ａを一体に設けている。該角筒状部１８ａの前面は開口されている。
【００２５】
前記複数本のプラグコンタクト１９，１９…は、プラグハウジング１８の成形時に、その成形型内に、角筒状部１８ａの略中央部に位置するようにして配置され、その後の成形によりプラグコンタクト１９，１９…の一部をプラグハウジング１８にインサートさせて、プラグハウジング１８と一体化されてなる。これら複数本のプラグコンタクト１９，１９…は、それぞれ前後方向に延び、また前記レセプタクルコンタクト１５，１５…に対応させて左右方向に並べ、かつ、間にレセプタクルコネクタ１２のセパレータ１７を受容可能な長孔２２を画成して上下２段に分けて配置した状態にして設けられている。
【００２６】
さらに、プラグコンタクト１９，１９…の先端部１９ａは、外側から内側に向かって傾斜している傾斜面２３を設けて先細状に形成されている。そして、上下２段のプラグコンタクト１９，１９との間の隙間は、セパレータ１７の板厚よりも十分小さく設定されているが、上下で対向している傾斜面２３と２３との間の隙間は、その傾斜によってセパレータ１７の板厚よりも十分大きく開いていて、長孔２２内へのセパレータ１７の挿入をし易くしている。
【００２７】
なお、プラグコンタクト１９，１９…の先端部１９ａ側の長さは、プラグハウジング１８の角筒状部１８ａの長さよりも小さい。したがって、プラグコンタクト１９，１９…は、プラグハウジング１８の一部である角筒状部１８ａで囲繞された状態にして該角筒状部１８ａ内に配置されている。また、角筒状部１８ａの先端部における上下の辺部には、内側へほぼ直角に折り曲げられた状態にして防護壁２４，２４が設けられている。
【００２８】
前記防護壁２４，２４は、プラグコンタクト１９，１９…の最先端部１９ｂの前側を覆うようにして形成されている。また、上辺側から垂れ下がる防護壁２４と下辺側から突き出す防護壁２４との隙間は、セパレータ１７の板厚よりも若干大きく設定されていて、セパレータ１７が長孔２２内に向かって挿入されるとき、その挿入を規制し、プラグコネクタ１３の基準線Ｓ１とレセプタクルコネクタ１２の基準線Ｓ２とが一致するように修正する機能を有する。これにより、セパレータ１７が上下のプラグコンタクト１９，１９…で形成されている長孔２２内に挿入されるとき、該プラグコンタクト１９，１９の最先端部１９ｂがセパレータ１７とレセプタクルコンタクト１５との間に入り込むのを防止する。また、防護壁２４，２４の前面内側端には、セパレータ１７を長孔２２の中心に向かってガイドする傾斜面としてなるガイド面２１が設けられている。
【００２９】
前記シールドケース２０は、導電性金属板で角筒状に形成されている。該シールドケース２０は、プラグハウジング１８の角筒状部１８ａの外側表面を覆って、この角筒状部１８ａに固定して取り付けられている。また、角筒状部１８ａの外形は、レセプタクルコンタクト１５のシールドケース１６の内形にほぼ等しく、シールドケース２０で外表面が覆われている角筒状部１８ａを、シールドケース１６内にシールドケース２０と電気導通を図った状態で受容嵌合できるように構成されている。
【００３０】
次に、コネクタ装置１１の動作を説明する。図示せぬ基板に取り付けられたレセプタクルコネクタ１２にプラグコネクタ１３を結合させる場合は、図１に示すように、レセプタクルコネクタ１２の前面とプラグコネクタ１３の前面とを互いに向かい合わせ、レセプタ
クルコネクタ１２のシールドケース１６内にプラグコネクタ１３の角筒状部１８を挿入させる。
【００３１】
プラグコネクタ１３の角筒状部１８が所定量挿入された時点で、プラグコネクタ１３の長孔２２とセパレータ１７との位置が上下方向に多少ずれていると、セパレータ１７が角筒状部１８の防護壁２４，２４のガイド面２１に衝突し、かつ、ガイド面２１の案内で長孔２２の中心側にガイドされて、該長孔２２内に導かれる。そして、上下の防護壁２４，２４との間をセパレータ１７が通過するとき、プラグコネクタ１３の基準線Ｓ１が、レセプタクルコネクタ１２の基準線Ｓ２にほぼ合わせられ、セパレータ１７が長孔２２内に向かって真っ直ぐスムーズに挿入されて行く。さらに、長孔２２内にセパレータ１７が受容されると、互いに対応しているプラグコンタクト１９とレセプタクルコンタクト１５とが接続されるとともに、レセプタクルコネクタ１２のシールドケース１６とプラグコネクタ１３のシールドケース２０とが導通された状態で、レセプタクルコネクタ１２にプラグコネクタ１３が結合される。
【００３２】
したがって、この実施の形態におけるコネクタ装置１１によれば、角筒状部１８の前面に、セパレータ１７とレセプタクルコンタクト１５との間にプラグコンタクト１９の最先端部１９ａが入り込むのを防止するための防護壁２４，２４が設けられているので、レセプタクルコネクタ１２とプラグコネクタ１３とを結合するときに、プラグコンタクト１９の最先端部１９ｂがセパレータ１７とレセプタクルコンタクト１５との間に入り込むことがなく、レセプタクルコンタクト１５を浮かせて座屈させるのを確実に防止することができる。
【００３３】
なお、本発明は、本発明の精神を逸脱しない限り種々の改変を為すことができ、そして、本発明が該改変されたものに及ぶことは当然である。
【図面の簡単な説明】
【００３４】
【図１】本発明の一実施の形態として示すコネクタ装置の縦断面図。
【図２】図１のＡ部拡大図。
【図３】本実施の形態におけるコネクタ装置におけるプラグコネクタの要部拡大斜視図。
【図４】従来例として示すコネクタ装置の縦断面図。
【図５】図１のＢ部拡大図。
【符号の説明】
【００３５】
１１    コネクタ装置
１２    レセプタクルコネクタ
１３    プラグコネクタ
１４    レセプタクルハウジング
１５    レセプタクルコンタクト
１５ａ  コンタクト部
１５ｂ  基端部
１６    シールドケース
１７    セパレータ
１８    プラグハウジング
１８ａ  角筒状部
１９    プラグコンタクト
１９ａ  先端部
１９ｂ  最先端部
２０    シールドケース
２１    ガイド面
２２    長孔
２３    傾斜面
２４    防護壁
【図１】
2008210656.tif 000003
【図２】
2008210656.tif 000004
【図３】
2008210656.tif 000005
【図４】
2008210656.tif 000006
【図５】
2008210656.tif 000007